(57)【特許請求の範囲】
【請求項１】
複数枚の紙葉類を１枚ずつ取出す取出手段と、
この取出手段にて取出された紙葉類を搬送する第１搬送手段と、
紙葉類を裁断する裁断手段を含む複数の処理手段と、
上記第１搬送手段から分岐されて上記裁断手段に接続された第２搬送手段と、
上記取出手段、第１搬送手段、裁断手段、処理手段、および第２搬送手段の動作を制御する制御手段と、を備え、
上記制御手段は、運転開始時において、上記第１搬送手段を始動してから第１の時間遅らせて上記第２搬送手段を始動し、この第２搬送手段を始動してから第２の時間遅らせて上記裁断手段を始動し、この裁断手段を始動した後、上記取出手段による紙葉類の取出し動作を開始することを特徴とする紙葉類処理装置。
【請求項２】
複数枚の紙葉類を１枚ずつ取出す取出手段と、
この取出手段にて取出された紙葉類を搬送する第１搬送手段と、
この第１搬送手段に紙葉類があるか否かを検知する第１検知手段と、
紙葉類を裁断する裁断手段を含む複数の処理手段と、
上記第１搬送手段から分岐されて上記裁断手段に接続された第２搬送手段と、
上記裁断手段直前の上記第２搬送手段に紙葉類があるか否かを検知する第２検知手段と、
上記取出手段、第１搬送手段、裁断手段、処理手段、および第２搬送手段の動作を制御する制御手段と、を備え、
上記制御手段は、運転開始時において、上記第１搬送手段を始動するとともに上記第１検知手段にて紙葉類の有無を検知し、第１の時間経過しても上記第１検知手段にて紙葉類が検知されないことを条件に上記第２搬送手段を始動し、この第２搬送手段を始動してから第２の時間経過後に上記第２検知手段にて紙葉類が検知されないことを条件に上記裁断手段を始動することを特徴とする紙葉類処理装置。
【請求項３】
上記制御手段は、運転開始時において、上記裁断手段を始動した後、上記取出手段による紙葉類の取出し動作を開始することを特徴とする請求項２記載の紙葉類処理装置。
【請求項４】
複数枚の紙葉類を１枚ずつ取出す取出手段と、
この取出手段にて取出された紙葉類を主搬送路に沿って搬送する第１搬送手段と、
この第１搬送手段を駆動する第１駆動手段と、
上記主搬送路上に紙葉類があるか否かを検知する第１検知手段と、
紙葉類を裁断する裁断手段を含む複数の処理手段と、
上記主搬送路から分岐されて上記裁断手段に接続された裁断搬送路に沿って紙葉類を搬送する第２搬送手段と、
この第２搬送手段を駆動する第２駆動手段と、
上記裁断手段直前の上記裁断搬送路上に紙葉類があるか否かを検知する第２検知手段と、
上記裁断手段を駆動する第３駆動手段と、
上記取出手段、第１駆動手段、第２駆動手段、第３駆動手段、および処理手段の動作を制御する制御手段と、を備え、
上記制御手段は、運転開始時において、上記第１駆動手段を始動するとともに上記第１検知手段にて上記主搬送路上の紙葉類の有無を検知し、第１の時間経過しても上記第１検知手段にて紙葉類が検知されないことを条件に上記第２駆動手段を始動し、この第２駆動手段を始動してから第２の時間経過後に上記第２検知手段にて上記裁断搬送路上に紙葉類が検知されないことを条件に上記第３駆動手段を始動することを特徴とする紙葉類処理装置。
【請求項５】
上記制御手段は、運転開始時において、上記第３駆動手段を始動した後、上記取出手段による紙葉類の取出し動作を開始することを特徴とする請求項４記載の紙葉類処理装置。
【発明の詳細な説明】
【０００１】
【発明の属する技術分野】
この発明は、複数枚の紙葉類を１枚ずつ取出して検査し、この検査結果に応じた処理をする紙葉類処理装置に係り、特に、検査結果に従って紙葉類を裁断する裁断装置を備えた紙葉類処理装置に関する。
【０００２】
【従来の技術】
従来、紙葉類処理装置として、複数枚の紙葉類を１枚ずつ取出す取出装置、取出した紙葉類を搬送する搬送装置、搬送される紙葉類を検査する検査装置、検査した紙葉類をその検査結果に従って振り分ける複数のゲート、振り分けられた特定の紙葉類をそれぞれ集積する集積装置、および振り分けられた特定の紙葉類を裁断する裁断装置を備えたものが知られている。
【０００３】
取出装置を介して取出された紙葉類は、搬送装置を介して搬送されて検査装置にて検査され、この検査結果に従って集積装置或いは裁断装置へ振り分けられる。裁断装置へ振り分けられた紙葉類は、裁断刃にて即座に裁断される。
【０００４】
この種の紙葉類処理装置において、ジャムが生じた場合、装置が停止されてオペレータによってジャム処理がなされ、装置から取り除かれた紙葉類が再び取出装置を介して供給される。
【０００５】
【発明が解決しようとする課題】
しかし、オペレータによるジャム処理によって装置から除去されずに残留した紙葉類がある場合、ジャム処理の復帰動作にて装置が再始動されたとき、装置内に残った紙葉類が裁断装置へ不所望に搬送されて裁断されてしまう場合がある。つまり、従来の装置では、ジャム処理後の復帰動作において、全ての駆動系が同時に始動されるため、裁断装置近くに残留した紙葉類が間違って裁断されてしまう可能性がある。
【０００６】
このように不所望に裁断された紙葉類は、ジャム処理によって制御部による監視から外れているため、裁断した紙葉類がどのような紙葉類であるかを判別することができなくなり、処理の信頼性が損なわれてしまう問題を生じる。
【０００７】
また、このように、所在不明な紙葉類が裁断されてしまう可能性があることから、ジャム処理においてオペレータが装置内に残留した紙葉類を確実に除去する必要があり、作業にかかる負担が大きいといった問題があった。
【０００８】
この発明は、以上の点に鑑みなされたもので、その目的は、例えばジャム処理後の復帰動作において、紙葉類を不所望に裁断してしまうことを防止でき、処理の信頼性を向上できる紙葉類処理装置を提供することにある。
【００１０】
【課題を解決するための手段】
上記目的を達成するため、この発明の紙葉類処理装置は、複数枚の紙葉類を１枚ずつ取出す取出手段と、この取出手段にて取出された紙葉類を搬送する第１搬送手段と、紙葉類を裁断する裁断手段を含む複数の処理手段と、上記第１搬送手段から分岐されて上記裁断手段に接続された第２搬送手段と、上記取出手段、第１搬送手段、裁断手段、処理手段、および第２搬送手段の動作を制御する制御手段と、を備え、上記制御手段は、運転開始時において、上記第１搬送手段を始動してから第１の時間遅らせて上記第２搬送手段を始動し、この第２搬送手段を始動してから第２の時間遅らせて上記裁断手段を始動し、この裁断手段を始動した後、上記取出手段による紙葉類の取出し動作を開始することを特徴とする。
【００１１】
上記発明によると、運転開始動作時において、紙葉類を裁断する裁断手段に向う搬送径路に沿った上流側の駆動系から順に始動させるため、運転開始時に装置内に残留した紙葉類がある場合であっても、運転開始と同時に紙葉類を不所望に裁断してしまうことを防止でき、装置の信頼性を向上できる。
【００１３】
また、この発明の紙葉類処理装置は、複数枚の紙葉類を１枚ずつ取出す取出手段と、この取出手段にて取出された紙葉類を搬送する第１搬送手段と、この第１搬送手段に紙葉類があるか否かを検知する第１検知手段と、紙葉類を裁断する裁断手段を含む複数の処理手段と、上記第１搬送手段から分岐されて上記裁断手段に接続された第２搬送手段と、上記裁断手段直前の上記第２搬送手段に紙葉類があるか否かを検知する第２検知手段と、上記取出手段、第１搬送手段、裁断手段、処理手段、および第２搬送手段の動作を制御する制御手段と、を備え、上記制御手段は、運転開始時において、上記第１搬送手段を始動するとともに上記第１検知手段にて紙葉類の有無を検知し、第１の時間経過しても上記第１検知手段にて紙葉類が検知されないことを条件に上記第２搬送手段を始動し、この第２搬送手段を始動してから第２の時間経過後に上記第２検知手段にて紙葉類が検知されないことを条件に上記裁断手段を始動することを特徴とする。
【００１４】
また、この発明の紙葉類処理装置によると、上記制御手段は、運転開始時において、上記裁断手段を始動した後、上記取出手段による紙葉類の取出し動作を開始することを特徴とする。
【００１５】
また、この発明の紙葉類処理装置は、複数枚の紙葉類を１枚ずつ取出す取出手段と、この取出手段にて取出された紙葉類を主搬送路に沿って搬送する第１搬送手段と、この第１搬送手段を駆動する第１駆動手段と、上記主搬送路上に紙葉類があるか否かを検知する第１検知手段と、紙葉類を裁断する裁断手段を含む複数の処理手段と、上記主搬送路から分岐されて上記裁断手段に接続された裁断搬送路に沿って紙葉類を搬送する第２搬送手段と、この第２搬送手段を駆動する第２駆動手段と、上記裁断手段直前の上記裁断搬送路上に紙葉類があるか否かを検知する第２検知手段と、上記裁断手段を駆動する第３駆動手段と、上記取出手段、第１駆動手段、第２駆動手段、第３駆動手段、および処理手段の動作を制御する制御手段と、を備え、上記制御手段は、運転開始時において、上記第１駆動手段を始動するとともに上記第１検知手段にて上記主搬送路上の紙葉類の有無を検知し、第１の時間経過しても上記第１検知手段にて紙葉類が検知されないことを条件に上記第２駆動手段を始動し、この第２駆動手段を始動してから第２の時間経過後に上記第２検知手段にて上記裁断搬送路上に紙葉類が検知されないことを条件に上記第３駆動手段を始動することを特徴とする。
【００１６】
更に、この発明の紙葉類処理装置によると、上記制御手段は、運転開始時において、上記第３駆動手段を始動した後、上記取出手段による紙葉類の取出し動作を開始することを特徴とする。
【００１７】
【発明の実施の形態】
以下、図面を参照しながらこの発明の実施の形態について詳細に説明する。
【００１８】
図１には、この発明の実施の形態に係る紙葉類処理装置１の全体構成を概略的に示してあり、図２乃至図４には、図１の紙葉類処理装置１を３つの部分に分割した拡大図をそれぞれ示してある。
【００１９】
図１に示すように、紙葉類処理装置１は、筐体としてのハウジング２を有している。このハウジング２内の所定位置には、紙葉類処理装置１に投入された複数枚の紙葉類（以下、単に券と称することもある）を一枚づつ取出す取出装置４が設けられている。取出装置４による紙葉類の取出し方向下流側には、取出された紙葉類を搬送する搬送装置６が設けられている。この搬送装置６は、取出装置４に連続した主搬送路３の他に、この主搬送路３から分岐された後述する排除搬送路１４、および裁断搬送路１８を含んでいる。
【００２０】
主搬送路３上には、取出装置４にて取出された紙葉類を検査する検査装置８が配設されている。検査装置８は、取出された紙葉類が排除すべき排除券であるか排除すべきではない非排除券であるかを検査するとともに、排除すべきではないことが判断された非排除券が再使用に適した適合券であるか再使用に適さない非適合券であるかを検査する。つまり、取出装置４にて取出された紙葉類は、検査装置８にて検査されることによって、排除券、適合券、非適合券のうちのいずれかに分類される。
【００２１】
検査装置８より下流側の主搬送路３上には、この検査装置８による検査結果に従って、主搬送路３上を搬送される紙葉類の搬送方向を選択的に切換える第１乃至第３ゲート１１、１２、１３が順に配設されている。
【００２２】
最も上流側の第１ゲート１１は、検査装置８の下流側で主搬送路３から分岐された排除搬送路１４の分岐位置に設けられ、紙葉類を主搬送路３から排除搬送路１４へ選択的に導くように切換えられる。また、排除搬送路１４上には、検査装置８にて排除券であることが判断された紙葉類を集積するとともに集積した排除券を一括してハウジング２外へ取出す排除券集積装置１６が設けられている。
【００２３】
第２ゲート１２は、第１ゲート１１より下流側で主搬送路３から分岐された裁断搬送路１８の分岐位置に設けられ、紙葉類を主搬送路３から裁断搬送路１８へ選択的に導くように切換えられる。また、裁断搬送路１８上には、検査装置８にて非適合券であることが判断された紙葉類を所定の失効サイズに裁断する裁断装置２０が設けられている。
【００２４】
第３ゲート１３は、第２ゲート１２より下流側に設けられ、紙葉類を第１適合券集積装置２１或いは第２適合券集積装置２２のうちのいずれか一方に選択的に導くように切換えられる。つまり、検査装置８にて適合券であることが判断された紙葉類は、第１適合券集積装置２１および第２適合券集積装置２２へ所定枚数毎に集積されるようになっている。
【００２５】
第１および第２適合券集積装置２１、２２（以下、単に集積装置と称する場合もある）に隣接した位置には、各集積装置に集積された適合券を所定枚数毎に区分して小帯施封する小帯施封機構２３、２４がそれぞれ設けられている。また、小帯施封機構２３、２４の下方には、この小帯施封機構２３、２４にて小帯施封された把の取り揃えの不良を検査する把検査装置２５が設けられ、把検査装置２５の更に下方には、検査済みの把を所定数毎に大帯施封して束とする大帯施封機構２６が設けられている。更に、この大帯施封機構２６の図中左側に隣接した位置には大帯交換ユニット２７が設けられ、大帯施封機構２６の図中右側に隣接した位置には大帯施封された束を搬送してハウジング２外へ搬出する搬送機構２８が設けられている。
【００２６】
次に、上述した紙葉類処理装置１の各部の構成について、図２乃至図４を用いて更に詳細に説明する。
【００２７】
取出装置４は、紙葉類処理装置１に投入される複数枚のバラの紙葉類を載置する載置台４１と、この載置台４１上に載置された紙葉類の最上の紙葉類から順に主搬送路３上に取出す取出ロータ４２と、載置台４１を取出ロータ４２に対して昇降し載置台４１上の紙葉類を取出ロータ４２に押し付ける昇降機構４３と、を備えている。
【００２８】
取出装置４の下流側に設けられた搬送装置６は、上記主搬送路３、排除搬送路１４、および裁断搬送路１８を介して紙葉類を所定の処理装置へ搬送する複数の搬送部を有している。つまり、搬送装置６は、取出装置４により取り出された紙葉類を受け取って主搬送路３を介して搬送する第１搬送部６１と、第１搬送部６１の搬出端部にその一部が重なった状態で第１搬送部６１に並設され、第１搬送部６１から受け渡された紙葉類を搬送する第２搬送部６２と、第２搬送部６２から受け渡された紙葉類を受け取って搬送する第３搬送部６３（図２および図３参照）と、第３搬送部６３の搬出端部にその一部が重なった状態で第３搬送部６３に並設され、第３搬送部６３から受け渡された紙葉類を搬送する第４搬送部６４と、第４搬送部６４の途中から第４搬送部６４に並設され第２適合券集積装置２２まで延びた第５搬送部６５と、を備えている。尚、上述した第１、第２、及び第３ゲート１１、１２、１３は、第５搬送部６５が配設された主搬送路３の途中に配設されている。
【００２９】
また、搬送装置６は、第４搬送部６４と第５搬送部６５との間で規定された主搬送路３から、第１ゲート１１により排除搬送路１４へシフトされた紙葉類を、第４搬送部６４と共働して排除券集積装置１６へ搬送する第６搬送部６６と、第１ゲート１１から第２ゲート１２にかけて第５搬送部６５に並設され紙葉類を搬送する第７搬送部６７と、第２ゲート１２により裁断搬送路１８へシフトされた紙葉類を、第７搬送部６７と協同して裁断装置２０へ搬送する第８搬送部６８と、第２ゲート１２から第３ゲート１３にかけて（図３および図４参照）第５搬送部６５に並設され、第３ゲート１３により主搬送路３から分岐された紙葉類を、第５搬送部６５と共働して第１適合券集積装置２１まで搬送する第９搬送部６９（図３および図４参照）と、を備えている。
【００３０】
第２搬送部６２の搬入端部の手前から第５搬送部６５の搬入端部にわたる主搬送路３上には、取出装置４により取り出されて搬送される紙葉類から各種データを読取って、このデータに基づいて当該紙葉類を再検査の必要な排除券、再使用可能な適合券、または再使用不能な非適合券の３種類に判定区分する複数の検査部を有する検査装置８が設けられている。
【００３１】
また、第６搬送部６６の搬出端部の下流側には、排除券を集積する排除券集積装置１６が設けられ、第８搬送部６８の搬出端部の下流側には、非適合券を細片に裁断する裁断装置２０が設けられ、第９搬送部６９の搬出端部の下流側には、適合券を集積する第１適合券集積装置２１が設けられ、第５搬送部６５の搬出端部の下流側には、適合券を集積する第２適合券集積装置２２が設けられている。
【００３２】
更に、第１搬送部６１の搬入端部、第１ゲート１１、第２ゲート１２、第３ゲート１３、排除券集積装置１６、第１適合券集積装置２１、第２適合券集積装置２２、および裁断装置２０の上流側の各搬送路上には、それぞれ紙葉類の通過を検出する光電式のシフトセンサ６０ａ〜６０ｈ、が設けられており、取出装置４にて取出された紙葉類が追跡されて監視されるようになっている。
【００３３】
尚、上述した各搬送部６１〜６９は、後述する搬送モータによって回転駆動されるドライブローラ、ベルトの走行に伴いこれによって連れ回りされるアイドルローラ、これらのローラに掛け渡された無端状ベルト、およびガイドを有している。
【００３４】
次に、上記のように構成された紙葉類処理装置１の動作を制御する制御系について、図５に示すブロック図を参照して説明する。
【００３５】
紙葉類処理装置１の制御系は、主制御部１００を備えている。主制御部１００には、取出装置４を制御する取出制御部１０１と、第１乃至第６搬送部６１〜６６および第９搬送部６９を駆動する搬送モータ１０４、第１ゲート１１、第３ゲート１３、およびシフトセンサ６０ａ〜６０ｇを制御する搬送制御部１０２と、第７搬送部６７および第８搬送部６８を駆動する搬送モータ１０５、第２ゲート１２、裁断装置２０の裁断刃を回転させる裁断モータ１０６、およびシフトセンサ６０ｈを制御する裁断制御部１０３と、が接続されている。
【００３６】
また、主制御部１００には、主搬送路３を介して搬送される紙葉類を検査する検査装置８、排除搬送路１４を介して搬送される排除券を集積する排除券集積装置１６、第３ゲート１３によってシフトされる適合券を所定枚数毎に集積する第１および第２適合券集積装置２１、２２、各集積装置２１、２２に集積された適合券を小帯にて施封する小帯施封機構２３、２４、および施封された束を所定数毎に大帯で施封する大帯施封機構２６が接続されている。
【００３７】
次に、上記のように構成された紙葉類処理装置１による処理動作について説明する。
【００３８】
まず、取出装置４の載置台４１上に所定枚数の紙葉類が載置され、紙葉類が載置された載置台４１が昇降機構４３によって上昇され、最上の紙葉類が取出ロータ４２に押し付けられる。そして、取出ロータ４２の回転により載置台４１上の紙葉類が最上部のものから順に連続して取出される。
【００３９】
取出装置４にて主搬送路３上に一枚づつ連続的に取出された紙葉類は、搬送装置６の第１搬送部６１によって主搬送路３上に取り込まれ、第１搬送部６１乃至第９搬送部６９を介して一定速度で搬送されて所定の処理装置へ次々と搬送される。
【００４０】
つまり、取出装置４にて取出された紙葉類は、まず、第１搬送部６１の途中から第５搬送部６５の手前に至る主搬送路３上に配設された複数の検査部から成る検査装置８を通過されて検査され、この検査結果に基づいて当該紙葉類が排除券、適合券、または非適合券のいずれであるかが判断される。
【００４１】
そして、この判断の結果に従って、当該紙葉類が第１ゲート１１にて排除券と非排除券（適合券および非適合券）とに区分され、続いて第１ゲート１１にて非排除券として区分された紙葉類が第２ゲート１２にて適合券と非適合券とに区分される。
【００４２】
例えば、取出装置４にて取出された紙葉類が検査装置８にて排除券であることが判断された場合、当該紙葉類が第１ゲート１１の上流側のシフトセンサ６０ｂによって検知されるタイミングで第１ゲート１１が作動され、主搬送路３が排除搬送路１４へ接続され、当該紙葉類が排除券集積装置１６へ搬送される。尚、第１ゲート１１は、次に搬送される紙葉類が排除券であることが判断された場合、引き続き主搬送路３を排除搬送路１４へ接続する位置に保持され、次に搬送される紙葉類が非排除券（適合券もしくは非適合券）であることが判断された場合、シフトセンサ６０ｂによって当該紙葉類が検知されるタイミングで切換えられる。
【００４３】
また、検査装置８にて非適合券であることが判断された紙葉類は、第１ゲート１１を通過されてシフトセンサ６０ｃにて検知される。この際、シフトセンサ６０ｃが当該紙葉類を検知するタイミングで第２ゲート１２が作動され、主搬送路３が裁断搬送路１８へ接続され、当該紙葉類が裁断装置２０へ搬送され、細片に裁断される。
【００４４】
また、検査装置８にて適合券であることが判断された紙葉類は、第１ゲート１１および第２ゲート１２を通過されて主搬送路３を搬送され、シフトセンサ６０ｄを通過されて計数される。この際、第３ゲート１３は、主搬送路３を第１適合券集積装置２１に接続する位置に切換えられ、シフトセンサ６０ｄにて１００枚の適合券が計数されるまでこの位置に保持される。
【００４５】
そして、第３ゲート１３は、シフトセンサ６０ｄにより適合券１００枚の通過が検知されて１００枚の適合券が第１適合券集積装置２１に集積された時点で、主搬送路３を第２適合券集積装置２２に接続する位置に切換えられ、シフトセンサ６０ｄにて１００枚の適合券が計数されるまでこの位置に保持される。
【００４６】
このように、第３ゲート１３は、適合券１００枚が通過する毎に切換えられ、第１適合券集積装置２１と第２適合券集積装置２２とにおいて交互に適合券１００枚を集積するように作用する。
【００４７】
そして、第２適合券集積装置２２に１００枚の適合券１００枚が集積される間に、第１適合券集積施置２１にて集積された１００枚の適合券が、小帯施封機構２３にて小帯により施封され把が形成される。また、第１適合券集積装置２１に１００枚の適合券１００枚が集積される間に、第２適合券集積施置２２にて集積された１００枚の適合券が、小帯施封機構２４にて小帯により施封され把が形成される。
【００４８】
各小帯施封機構２３、２４にて形成された把は、把検査装置２５にて取り揃えの不良が検査され、大帯施封機構２６において１０把毎に大帯により施封され、大帯施封された束が搬送機構２８を介して紙葉類処理装置１の外部に搬出される。
【００４９】
次に、上述した紙葉類処理装置１の電源投入時またはジャム処理後の復帰動作時における運転開始動作について、図６および図７を参照して説明する。図６には、この運転開始動作を説明するための動作説明図を示してあり、図７には、図６とともに運転開始動作を説明するためのフローチャートを示してある。尚、ここでは、ジャム処理後の復帰動作を代表して説明する。
【００５０】
運転開始動作に先立ち、オペレータによって装置内に残留した紙葉類が取り除かれてジャム処理がなされる。
【００５１】
ジャム処理後、図示しない運転開始スイッチがオンされると、主制御部１００から搬送制御部１０２に対して運転開始コマンドが送信され、搬送制御部１０２の制御によって搬送モータ１０４がオンされて、主搬送路３および排除搬送路１４に沿った搬送部６１〜６６、６９が始動される（ステップ１）。この後、搬送制御部１０２にて搬送モータ１０４をオンしたことが主制御部１００に返信される。
【００５２】
搬送モータ１０４がオンされた後、複数のシフトセンサによって装置内に紙葉類が残留しているか否かが判断され（ステップ２）、所定時間（ｔ1）内に紙葉類の“残留有り”が判断された場合（ステップ３；ＮＯ、ステップ２；ＹＥＳ）、搬送モータ１０４がオフにされて運転開始動作が中止される（ステップ４）。
【００５３】
一方、ステップ２およびステップ３の判断の結果、搬送モータ１０４をオンしてから時間ｔ1が経過した時点で複数のシフトセンサによって紙葉類の“残留有り”が判断されなかった場合（ステップ２；ＮＯ、ステップ３；ＹＥＳ）、主制御部１００から裁断制御部１０３に対して運転開始コマンドが送信され、裁断制御部１０３の制御によって、所定の裁断前チェックがなされた後（ステップ５）、搬送モータ１０５がオンされて裁断搬送路１８に沿った搬送部６７、６８が始動される（ステップ６）。
【００５４】
ステップ５の裁断前チェックでは、第２ゲート１２の切換方向、裁断装置２０のカバーの開閉状態、裁断刃の取付け状態、裁断刃手前に設けられた図示しない４つの残留センサおよびシフトセンサ６０ｈによる紙葉類検知の有無、無停電電源を用いた処理の有無、裁断片を送る気送管の風圧、および、裁断片処理装置のチェックがなされる。
【００５５】
ステップ６で搬送モータ１０５がオンされた後、所定時間（ｔ2）経過後（ステップ７；ＹＥＳ）に上述した４つの残留センサおよびシフトセンサ６０ｈを介して紙葉類の残留の有無が判断され（ステップ８）、“残留有り”が判断された場合（ステップ８；ＹＥＳ）に搬送モータ１０５がオフにされて運転開始動作が中止される（ステップ９）。
【００５６】
一方、ステップ８の判断の結果、搬送モータ１０５をオンしてから時間ｔ2が経過した時点で紙葉類の“残留有り”が判断されなかった場合（ステップ８；ＮＯ）、裁断制御部１０３の制御によって裁断モータ１０６がオンされて裁断装置２０が始動される（ステップ１０）。この後、裁断制御部１０３にて裁断モータ１０６をオンしたことが主制御部１００へ返信される。
【００５７】
主制御部１００にて裁断モータ１０６がオンされたことが受信されると、取出制御部１０１、搬送制御部１０２、および裁断制御部１０３に対して計数開始コマンドが送信され、各制御部にて紙葉類の計数が開始されて紙葉類の搬送状態が監視され（ステップ１１）、取出制御部１０１の制御によって取出装置４がオンされて紙葉類の取出しが開始される（ステップ１２）。つまり、取出制御部１０１では紙葉類の取出し枚数が計数され、搬送制御部１０２では紙葉類の搬送枚数が計数され、裁断制御部１０３では紙葉類の裁断枚数が計数される。
【００５８】
尚、上述した時間ｔ1は、主搬送路３の最も上流側に残留した紙葉類が主搬送路３を通過するに十分な時間に設定されており、本実施の形態では、２秒程度に設定されている。また、上述した時間ｔ2は、裁断搬送路１８に残留した紙葉類が裁断装置２０へ到達するに十分な時間に設定されており、本実施の形態では、６４０ms程度に設定されている。
【００５９】
以上のように、本実施の形態では、紙葉類処理装置１の電源投入時またはジャム処理後の復帰動作時における運転開始動作において、紙葉類の搬送径路に沿った上流側の駆動系から順に立ち上げるようにした。これにより、装置内から除去されずに残留した紙葉類があるような場合であっても、この紙葉類を不所望に裁断してしまうことを防止でき、装置の信頼性を向上できる。
【００６０】
例えば、搬送ジャム等により、裁断搬送路１８上に紙葉類が残留し、この残留紙葉類をジャム処理時に取り忘れた場合、ジャム処理後の運転開始時に、主搬送路３、裁断搬送路１８、裁断装置２０の順に始動されるため、裁断搬送路１８を始動した時点で裁断装置２０が始動されておらず、残留した当該紙葉類が裁断装置２０の手前で滞留し、ジャムを検知して当該紙葉類が不所望に裁断されてしまうことがない。また、運転開始時に主搬送路３上に紙葉類が残留しており、第２ゲート１２が故障しているような場合であっても、主搬送路３を始動させた時点で当該残留紙葉類のジャムが検知されて装置が停止され、裁断搬送路１８や裁断装置２０へ当該紙葉類が流れることはない。
【００６１】
また、本実施の形態では、上述したように、運転開始動作時に装置内に残留した紙葉類があっても当該残留紙葉類を裁断してしまうことを確実に防止できるため、オペレータによるジャム処理時に全ての紙葉類を確実に除去できなかったとしても、当該紙葉類を不所望に裁断してしまうことがないため、ジャム処理におけるオペレータの作業負担を軽減できる。
【００６２】
尚、この発明は、上述した実施の形態に限定されるものではなく、この発明の範囲内で種々変形可能である。例えば、上述した実施の形態では、ジャム処理後の運転開始時において、紙葉類の搬送径路に沿って上流側の駆動系から順に始動させたが、少なくとも運転開始動作の最後に裁断装置を始動させるようにすれば良い。
【００６３】
【発明の効果】
以上説明したように、この発明の紙葉類処理装置は、上記のような構成および作用を有しているので、例えばジャム処理後の復帰動作において、紙葉類を不所望に裁断してしまうことを防止でき、処理の信頼性を向上できる。
【図面の簡単な説明】
【図１】この発明の実施の形態に係る紙葉類処理装置を示す断面図。
【図２】図１の紙葉類処理装置の一部を拡大して示す部分拡大図。
【図３】図１の紙葉類処理装置の他の部分を拡大して示す部分拡大図。
【図４】図１の紙葉類処理装置のさらに他の部分を拡大して示す部分拡大図。
【図５】図１の紙葉類処理装置の制御系を示すブロック図。
【図６】図１の紙葉類処理装置の運転開始動作を説明するための動作説明図。
【図７】図６とともに紙葉類処理装置の運転開始動作を説明するためのフローチャート。
【符号の説明】
１…紙葉類処理装置、
２…ハウジング、
４…取出装置、
６…搬送装置、
８…検査装置、
１１、１２、１３…第１乃至第３ゲート、
１４…排除搬送路、
１６…排除券集積装置、
１８…裁断搬送路、
２０…裁断装置、
２１…第１適合券集積施置、
２２…第２適合券集積施置、
２３、２４…小帯施封機構、
２５…把検査装置、
２６…大帯施封機構、
２７…大帯交換ユニット、
２８…搬送機構、
６０ａ〜６０ｈ…シフトセンサ、
６１〜６９…搬送部、
１００…主制御部、
１０２…搬送制御部、
１０３…裁断制御部、
１０４、１０５…搬送モータ、
１０６…裁断モータ。
【図１】
0004189091.tif 000002
【図２】
0004189091.tif 000003
【図３】
0004189091.tif 000004
【図４】
0004189091.tif 000005
【図５】
0004189091.tif 000006
【図６】
0004189091.tif 000007
【図７】
0004189091.tif 000008